(57)【要約】【課題】従来よりも保育園や幼稚園や小学校等の先生が、より容易に保育または教育の活動に関する情報を得られる、またはより容易に保育または教育に使用する材料および／または用具を購入できるネットワークシステム、サービス提供方法、およびサーバを提供する。【解決手段】端末２００Ａと、端末２００Ａと通信可能な少なくとも１つのサーバ１００Ａ，１００Ｂとを備えるネットワークシステム１が提供される。少なくとも１つのサーバ１００Ａ，１００Ｂは、保育または教育のための活動に関する情報を提供するためのサービス１１０Ａと、材料および／または用具を販売するサービス１１０Ｂとを連携する。【選択図】図１
2017027555.tif 000002
【特許請求の範囲】
【請求項１】
端末と、
前記端末と通信可能な少なくとも１つのサーバとを備えるネットワークシステムであって、
前記少なくとも１つのサーバは、保育または教育のための活動に関する情報を提供するためのサービスと、材料および／または用具を販売するサービスとを連携する、ネットワークシステム。
【請求項２】
前記少なくとも１つのサーバは、前記活動と当該活動に必要な材料および／または用具との対応関係を記憶し、選択された活動に必要な材料および／または用具を注文可能な状態で前記端末に表示させる、請求項１に記載のネットワークシステム。
【請求項３】
前記少なくとも１つのサーバは、注文履歴情報として、注文された前記材料および／または用具を前記活動に対応付けて前記端末に提供する、請求項１または２に記載のネットワークシステム。
【請求項４】
前記少なくとも１つのサーバは、無料会員に対しては前記活動に関する通常の情報を提供し、有料会員に対しては前記活動に関する詳細な情報を提供する、請求項１から３のいずれか１項に記載のネットワークシステム。
【請求項５】
前記少なくとも１つのサーバは、同一の商品関して、複数の費用の種類の指定を受け付ける、請求項１から４のいずれか１項に記載のネットワークシステム。
【請求項６】
前記少なくとも１つのサーバは、前記活動と、保育または教育に利用できる情報と、の対応関係を記憶する、請求項１から５のいずれか１項に記載のネットワークシステム。
【請求項７】
前記少なくとも１つのサーバは、前記活動と、年間カリキュラムと、の対応関係を記憶する、請求項１から６のいずれか１項に記載のネットワークシステム。
【請求項８】
前記少なくとも１つのサーバは、教材のデータを前記端末にダウンロードする、請求項１から７のいずれか１項に記載のネットワークシステム。
【請求項９】
端末と、前記端末と通信可能な少なくとも１つのサーバとを備えるネットワークシステムにおけるサービス提供方法であって、
前記少なくとも１つのサーバが、前記端末からの命令に応じて、保育または教育のための活動に関する情報を提供するためのページを前記端末に送信するステップと、
前記少なくとも１つのサーバが、前記端末からの命令に応じて、前記活動に必要な材料および／または用具を販売するためのページを前記端末に送信するステップと、を備える、サービス提供方法。
【請求項１０】
端末と通信するための通信インターフェイスと、
前記通信インターフェイスを介して、前記端末に、保育または教育のための活動に関する情報を提供するためのサービスと材料および／または用具を販売するサービスとを連携させて提供するプロセッサを備える、サーバ。
【発明の詳細な説明】
【技術分野】
【０００１】
本発明は、ネットワークを介して情報を提供するための技術に関し、特に保育または教育に関するサービスを提供するためのネットワークシステム、サービス提供方法、およびサーバに関する。
【背景技術】
【０００２】
従来から、ネットワークを介した情報のやり取りに関する技術が提案されている。たとえば、特開２００３−３４５２３０号公報（特許文献１）には、モバイル通信教育システムが開示されている。特開２００３−３４５２３０号公報（特許文献１）によると、インターネット上にＷｅｂサイトとして開設するモバイル・ラーニング・センタは、受講者端末との間で、マルチメディア情報の双方向通信を可能にし、各教育テーマ毎の教材コンテンツや受講者会員情報などをデータベースに用意し、教材コンテンツを使用した受講者教育に必要な情報処理を行うサーバを備える。教材提供者サイトは、教材制作者端末からの教材の提供を受けてセンタに教材情報を提供する。サーバは、受講者の受講テーマ別達成度を基にした資格認定を行う手段を備えること、企業端末からの求人情報収集と、この求人情報に適合する資格認定がなされた受講者への企業紹介と、企業端末への該受講者の紹介の各手段を備えることも含む。
【先行技術文献】
【特許文献】
【０００３】
【特許文献１】特開２００３−３４５２３０号公報
【発明の概要】
【発明が解決しようとする課題】
【０００４】
しかしながら、保育園や幼稚園や小学校等の先生が、より容易に保育または教育の活動に関する情報を得られるシステムや、より容易に保育または教育に使用する材料および／または用具を購入できるシステムが求められている。本発明の目的は、従来よりも保育園や幼稚園や小学校等の先生が、より容易に保育または教育の活動に関する情報を得られる、またはより容易に保育または教育に使用する材料および／または用具を購入できるネットワークシステム、サービス提供方法、およびサーバを提供することにある。
【課題を解決するための手段】
【０００５】
この発明のある態様に従うと、端末と、端末と通信可能な少なくとも１つのサーバとを備えるネットワークシステムが提供される。少なくとも１つのサーバは、保育または教育のための活動に関する情報を提供するためのサービスと、材料および／または用具を販売するサービスとを連携する。
【０００６】
好ましくは、少なくとも１つのサーバは、活動と当該活動に必要な材料および／または用具との対応関係を記憶し、選択された活動に必要な材料および／または用具を注文可能な状態で端末に表示させる。
【０００７】
好ましくは、少なくとも１つのサーバは、注文履歴情報として、注文された材料および／または用具を活動に対応付けて端末に提供する。
【０００８】
好ましくは、少なくとも１つのサーバは、無料会員に対しては活動に関する通常の情報を提供し、有料会員に対しては活動に関する詳細な情報を提供する。
【０００９】
好ましくは、少なくとも１つのサーバは、同一の商品関して、複数の費用の種類の指定を受け付ける。
【００１０】
好ましくは、少なくとも１つのサーバは、活動と、保育または教育に利用できる情報と、の対応関係を記憶する。
【００１１】
好ましくは、少なくとも１つのサーバは、活動と、年間カリキュラムと、の対応関係を記憶する。
【００１２】
好ましくは、少なくとも１つのサーバは、教材のデータを端末にダウンロードする。
【００１３】
この発明の別の態様に従うと、端末と、端末と通信可能な少なくとも１つのサーバとを備えるネットワークシステムにおけるサービス提供方法が提供される。少なくとも１つのサーバが、端末からの命令に応じて、保育または教育のための活動に関する情報を提供するためのページを端末に送信するステップと、少なくとも１つのサーバが、端末からの命令に応じて、活動に必要な材料および／または用具を販売するためのページを端末に送信するステップと、を備える。
【００１４】
この発明の別の態様に従うと、端末と通信するための通信インターフェイスと、通信インターフェイスを介して、端末に、保育または教育のための活動に関する情報を提供するためのサービスと材料および／または用具を販売するサービスとを連携させて提供するプロセッサを備えるサーバが提供される。
【００１５】
以上のように、この発明によれば、従来よりも保育園や幼稚園や小学校等の先生が、より容易に保育または教育の活動に関する情報を得られる、またはより容易に保育または教育に使用する材料および／または用具を購入できるネットワークシステム、サービス提供方法、およびサーバが提供される。
【図面の簡単な説明】
【００１６】
【図１】第１の実施の形態にかかるネットワークシステム１の全体構成を示すイメージ図である。
【図２】第１の実施の形態にかかるネットワークシステム１の動作概要を示すための端末２００Ａ，２００Ｂにおける第１の画面例を示すイメージ図である。
【図３】第１の実施の形態にかかるネットワークシステム１の動作概要を示すための端末２００Ａ，２００Ｂにおける第２の画面例を示すイメージ図である。
【図４】第１の実施の形態にかかるネットワークシステム１の動作概要を示すための端末２００Ａ，２００Ｂにおける第３の画面例を示すイメージ図である。
【図５】第１の実施の形態にかかるネットワークシステム１の動作概要を示すための端末２００Ａ，２００Ｂにおける第４の画面例を示すイメージ図である。
【図６】第１の実施の形態にかかるネットワークシステム１の動作概要を示すための端末２００Ａ，２００Ｂにおける第５の画面例を示すイメージ図である。
【図７】第１の実施の形態にかかるネットワークシステム１の動作概要を示すための端末２００Ａ，２００Ｂにおける第６の画面例を示すイメージ図である。
【図８】第１の実施の形態にかかるネットワークシステム１の動作概要を示すための端末２００Ａ，２００Ｂにおける第７の画面例を示すイメージ図である。
【図９】第１の実施の形態にかかるネットワークシステム１の動作概要を示すための端末２００Ａ，２００Ｂにおける第８の画面例を示すイメージ図である。
【図１０】第１の実施の形態にかかるネットワークシステム１の動作概要を示すための端末２００Ａ，２００Ｂにおける第９の画面例を示すイメージ図である。
【図１１】第１の実施の形態にかかるネットワークシステム１の動作概要を示すための端末２００Ａ，２００Ｂにおける第１０の画面例を示すイメージ図である。
【図１２】第１の実施の形態にかかるネットワークシステム１の動作概要を示すための端末２００Ａ，２００Ｂにおける第１１の画面例を示すイメージ図である。
【図１３】第１の実施の形態にかかるネットワークシステム１の動作概要を示すための端末２００Ａ，２００Ｂにおける第１２の画面例を示すイメージ図である。
【図１４】第１の実施の形態にかかるネットワークシステム１の動作概要を示すための端末２００Ａ，２００Ｂにおける第１３の画面例を示すイメージ図である。
【図１５】第１の実施の形態にかかるネットワークシステム１の動作概要を示すための端末２００Ａ，２００Ｂにおける第１４の画面例を示すイメージ図である。
【図１６】第１の実施の形態にかかるネットワークシステム１の動作概要を示すための端末２００Ａ，２００Ｂにおける第１５の画面例を示すイメージ図である。
【図１７】第１の実施の形態にかかるネットワークシステム１の動作概要を示すための端末２００Ａ，２００Ｂにおける第１６の画面例を示すイメージ図である。
【図１８】第１の実施の形態にかかるネットワークシステム１の動作概要を示すための端末２００Ａ，２００Ｂにおける第１７の画面例を示すイメージ図である。
【図１９】第１の実施の形態にかかるネットワークシステム１の動作概要を示すための端末２００Ａ，２００Ｂにおける第１８の画面例を示すイメージ図である。
【図２０】第１の実施の形態にかかるネットワークシステム１の動作概要を示すための端末２００Ａ，２００Ｂにおける第１９の画面例を示すイメージ図である。
【図２１】第１の実施の形態にかかるネットワークシステム１の動作概要を示すための端末２００Ａ，２００Ｂにおける第２０の画面例を示すイメージ図である。
【図２２】第１の実施の形態にかかるネットワークシステム１の動作概要を示すための端末２００Ａ，２００Ｂにおける第２１の画面例を示すイメージ図である。
【図２３】第１の実施の形態にかかるネットワークシステム１の動作概要を示すための端末２００Ａ，２００Ｂにおける第２２の画面例を示すイメージ図である。
【図２４】第１の実施の形態にかかるネットワークシステム１の動作概要を示すための端末２００Ａ，２００Ｂにおける第２３の画面例を示すイメージ図である。
【図２５】第１の実施の形態にかかる情報提供サーバ１００のハードウェア構成を表わすブロック図である。
【図２６】第１の実施の形態にかかる組織データベース１２１を表わすブロック図である。
【図２７】第１の実施の形態にかかるユーザデータベース１２２を表わすブロック図である。
【図２８】第１の実施の形態にかかるお気に入りデータベース１２３を表わすブロック図である。
【図２９】第１の実施の形態にかかるコンテンツ商品データベース１２４を表わすブロック図である。
【図３０】第１の実施の形態にかかる商品データベース１２５を表わすブロック図である。
【図３１】第１の実施の形態にかかる注文データベース１２６を表わすブロック図である。
【図３２】第１の実施の形態にかかる端末２００Ａ，２００Ｂのハードウェア構成を表わすブロック図である。
【図３３】第１の実施の形態にかかるネットワークシステム１の第１の情報処理を示すフローチャートである。
【図３４】第１の実施の形態にかかるネットワークシステム１の第２の情報処理を示すフローチャートである。
【図３５】第１の実施の形態にかかるネットワークシステム１の第３の情報処理を示すフローチャートである。
【図３６】通常の材料および／または用具が到着するまでの流れと本実施の形態にかかる材料および／または用具が到着するまでの流れとを示したイメージ図である。
【図３７】第２の実施の形態にかかるお気に入りデータベース１２３２を表わすブロック図である。
【図３８】第３の実施の形態にかかる注文データベース１２６２を表わすブロック図である。
【図３９】第４の実施の形態にかかるネットワークシステム１の全体構成を示すイメージ図である。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステムの全体構成＞
【００１８】
まず、図１を参照して、本実施の形態にかかるネットワークシステム１の全体構成について説明する。なお、図１は、本実施の形態にかかるネットワークシステム１の全体構成を示すイメージ図である。
【００１９】
本実施の形態にかかるネットワークシステム１は、主に、１つ以上のサーバ１００Ａ，１００Ｂと、保育園や幼稚園や学校などで利用される１つ以上の端末２００Ａ，２００Ｂとを含む。
【００２０】
サーバ１００Ａ，１００Ｂの各々は、インターネットやルータなどを介して端末２００Ａ，２００Ｂに接続される。サーバ１００Ａ，１００Ｂの各々は、端末２００Ａ，２００Ｂを介したユーザからの命令に応じて各種のサービスを提供する。
【００２１】
たとえば、サーバ１００Ａは、保育園や幼稚園や学校における子供たちの活動を紹介するためのサービスを提供するための、プログラムとしてのアプリケーションサーバ１１０Ａを含む。なお、以下では、後述する保育実践のような、保育または教育などのために保育園や幼稚園や学校などにおいて実行されるものを、単に「活動」ともいう。そして、サーバ１００Ｂは、保育園や幼稚園や学校で使用される様々な材料や用具を通信販売するためのサービスを提供するための、プログラムとしてのアプリケーションサーバ１１０Ｂを含む。
【００２２】
そして特に、本実施の形態においては、それら２つのサービスが連携されて、ユーザに提供される。
【００２３】
以下では、説明のために、保育園や幼稚園や学校における子供たちの活動を紹介するためのサービスを提供するためのサーバ１００Ａを情報提供サーバ１００Ａともいい、保育園や幼稚園や学校で使用される様々な用具を通信販売するためのサーバを通信販売サーバ１００Ｂともいう。
＜ネットワークシステムの動作概要＞
【００２４】
次に、図２〜図２４を参照して、本実施の形態にかかるネットワークシステム１の動作概要、すなわち本実施の形態にかかるネットワークシステム１が提供するサービスについて説明する。なお、図２〜図２４は、本実施の形態にかかるネットワークシステム１の動作概要を示すための端末２００Ａ，２００Ｂにおける画面例を示すイメージ図である。
【００２５】
まず、図２を参照して、保育園や幼稚園や学校の先生などのユーザが、端末２００Ａを介して、サーバ１００Ａから保育または教育の活動に関する情報サイトのホームページをダウンロードする。
【００２６】
なお、本実施の形態においては、予め、保育園や幼稚園や学校などの組織を情報サイトにメンバー登録しておく必要がある。これによって、当該組織に属するユーザは、当該情報サイトから保育または教育に関する各種の情報を取得することができる。
【００２７】
図２を参照して、情報サイトのホームページには、組織名２５０１と、ユーザの選択タブ２５０２と、「保育実践集」のページへ移動するためのボタン２５０３と、「年間カリキュラム」のページへ移動するためのボタン２５０４と、「作品研究」のページへ移動するためのボタン２５０５と、「動画セミナー」のページへ移動するためのボタン２５０６と、「ワンポイントアドバイス」のページへ移動するためのボタン２５０７と、「教材ダウンロード」のページへ移動するためのボタン２５０８と、ホームページへ戻るためのボタン２５０９と、お気に入りのページへ移動するためのボタン２５１１，２５１２と、商品注文履歴を示すエリア２５１５とが含まれる。
【００２８】
ユーザが、「保育実践集」のページへ移動するためのボタン２５０３を押すと、端末２００Ａは、サーバ１００Ａから「保育実践集」のページのデータを取得する。図３を参照して、保育実践集のページには、保育実践のカテゴリを指定するためのボタン２５２０、たとえば、年齢・季節によって複数の保育実践がカテゴリ分けされたページに移動するためのボタン２５２１と、実施月によって複数の保育実践がカテゴリ分けされたページに移動するためのボタン２５２２と、造形展によって複数の保育実践がカテゴリ分けされたページに移動するためのボタン２５２３と、造形遊びによって複数の保育実践がカテゴリ分けされたページに移動するためのボタン２５２４と、行為によって複数の保育実践がカテゴリ分けされたページに移動するためのボタン２５２５と、材料・用具によって複数の保育実践がカテゴリ分けされたページに移動するためのボタン２５２６と、簡単制作によって複数の保育実践がカテゴリ分けされたページに移動するためのボタン２５２７と、新着の保育実践を選択するためのボタン２５２８，２５２９とが含まれる。
【００２９】
ユーザが、年齢・季節によって複数の保育実践がカテゴリ分けされたページに移動するためのボタン２５２１を押すと、端末２００Ａは、サーバ１００Ａから年齢・季節によって複数の保育実践がカテゴリ分けされたページのデータを取得する。図４を参照して、年齢・季節によって複数の保育実践がカテゴリ分けされたページには、０歳児を対象とした保育実践を検索対象にするためのボタン２５３０と、１歳児を対象とした保育実践を検索対象にするためのボタン２５３１と、２歳児を対象とした保育実践を検索対象にするためのボタン２５３２と、３歳児を対象とした保育実践を検索対象にするためのボタン２５３３と、４歳児を対象とした保育実践を検索対象にするためのボタン２５３４と、５歳児を対象とした保育実践を検索対象にするためのボタン２５３５とが含まれる。
【００３０】
ユーザが、５歳児を対象とした保育実践を検索対象にするためのボタン２５３５を押すと、端末２００Ａは、サーバ１００Ａから５歳児を対象とした保育実践のうち、さらに季節を選択するためのデータを取得する。なお、年齢・季節によって複数の保育実践がカテゴリ分けされたページのデータが、すでに、季節を選択するためボタンなどのデータを含んでもよい。図５を参照して、年齢・季節によって複数の保育実践がカテゴリ分けされたページには、さらに、春に適した保育実践を検索するためのチェックボタン２５３Ａと、夏に適した保育実践を検索するためのチェックボタン２５３Ｂと、秋に適した保育実践を検索するためのチェックボタン２５３Ｃと、冬に適した保育実践を検索するためのチェックボタン２５３Ｄと、通年に適した保育実践を検索するためのチェックボタン２５３Ｅとが含まれる。
【００３１】
季節が選択された状態で、ユーザが検索ボタン２５３Ｓを押すと、端末２００Ａは、サーバ１００Ａに、５歳児を対象とした保育実践を要求する。サーバ１００Ａは、様々な保育実践に関するデータを含むデータベースから、５歳児を対象とした保育実践を検索する。そして、サーバ１００Ａは、端末２００Ａに、検索結果を送信する。図６を参照して、端末２００Ａは、サーバ１００Ａからのデータに基づいて、５歳児を対象とした１または複数の保育実践２５３Ｘ，２５３Ｙ，２５３Ｚを選択可能に表示する。なお、本実施の形態においては、説明のために、３つの保育実践が抽出されたことにしているが、より多くの保育実践の情報が準備されていることが好ましい。
【００３２】
ここで一旦、図３に戻って他のカテゴリ分けについて説明する。ユーザが、実施月によって複数の保育実践がカテゴリ分けされたページに移動するためのボタン２５２２を押すと、端末２００Ａは、サーバ１００Ａから実施月によって複数の保育実践がカテゴリ分けされたページのデータを取得する。図７を参照して、実施月によって複数の保育実践がカテゴリ分けされたページには、４月に実施することが推奨される保育実践を検索対象にするためのボタン２５６Ａと、５月に実施することが推奨される保育実践を検索対象にするためのボタン２５６Ｂなどが含まれる。ユーザは、これらのボタンのうちのいずれかを押して、さらに詳細なカテゴリを選択した後に、検索ボタン２５６Ｓを押すことによって、所望の保育実践の検索結果を得ることができる。
【００３３】
また、図３に戻って、ユーザが造形展によって複数の保育実践がカテゴリ分けされたページに移動するためのボタン２５２３を押すと、端末２００Ａは、サーバ１００Ａから造形展によって複数の保育実践がカテゴリ分けされたページのデータを取得する。図８を参照して、造形展によって複数の保育実践がカテゴリ分けされたページには、０歳児を対象とした保育実践を検索対象にするためのボタン２５５０と、１歳児を対象とした保育実践を検索対象にするためのボタン２５５１と、２歳児を対象とした保育実践を検索対象にするためのボタン２５５２と、３歳児を対象とした保育実践を検索対象にするためのボタン２５５３と、４歳児を対象とした保育実践を検索対象にするためのボタン２５５４と、５歳児を対象とした保育実践を検索対象にするためのボタン２５５５とが含まれる。ユーザは、これらのボタンのうちのいずれかを押して、さらに詳細なカテゴリを選択した後に、検索ボタン２５５Ｓを押すことによって、所望の保育実践の検索結果を得ることができる。
【００３４】
また、図３に戻って、ユーザが造形遊びによって複数の保育実践がカテゴリ分けされたページに移動するためのボタン２５２４を押すと、端末２００Ａは、サーバ１００Ａから造形遊びによって複数の保育実践がカテゴリ分けされたページのデータを取得する。図９を参照して、造形遊びによって複数の保育実践がカテゴリ分けされたページには、ごっこ遊びを対象とした保育実践を検索対象にするためのボタン２５５６と、技法遊びを対象とした保育実践を検索対象にするためのボタン２５５７と、構成遊びを対象とした保育実践を検索対象にするためのボタン２５５８と、感触遊びを対象とした保育実践を検索対象にするためのボタン２５５９とが含まれる。ユーザは、これらのボタンのうちのいずれかを押して、さらに詳細なカテゴリを選択した後に、検索ボタン２５５Ｔを押すことによって、所望の保育実践の検索結果を得ることができる。
【００３５】
また、図３に戻って、ユーザが行為によって複数の保育実践がカテゴリ分けされたページに移動するためのボタン２５２５を押すと、端末２００Ａは、サーバ１００Ａから行為によって複数の保育実践がカテゴリ分けされたページのデータを取得する。図１０を参照して、行為によって複数の保育実践がカテゴリ分けされたページには、「書く・塗る」行為を対象とした保育実践を検索対象にするためのボタン２５６１と、「染める」行為を対象とした保育実践を検索対象にするためのボタン２５６２と、「切る・ちぎる」行為を対象とした保育実践を検索対象にするためのボタン２５６３と、「貼る」行為を対象とした保育実践を検索対象にするためのボタン２５６４と、「まるめる」行為を対象とした保育実践を検索対象にするためのボタン２５６５と、「折る」行為を対象とした保育実践を検索対象にするためのボタン２５６６、「触る」行為を対象とした保育実践を検索対象にするためのボタン２５６７とが含まれる。ユーザは、これらのボタンのうちのいずれかを押して、さらに詳細なカテゴリを選択した後に、検索ボタン２５６Ｓを押すことによって、所望の保育実践の検索結果を得ることができる。
【００３６】
また、図３に戻って、ユーザが材料・用具によって複数の保育実践がカテゴリ分けされたページに移動するためのボタン２５２６を押すと、端末２００Ａは、サーバ１００Ａから材料・用具によって複数の保育実践がカテゴリ分けされたページのデータを取得する。図１１を参照して、材料・用具によって複数の保育実践がカテゴリ分けされたページには、描画材を利用する保育実践を検索するためのボタン２５７１と、用具を利用する保育実践を検索するためのボタン２５７２と、材料を利用する保育実践を検索するためのボタン２５７３とが含まれる。ユーザは、これらのボタンのうちのいずれかを押して、さらに詳細なカテゴリを選択した後に、検索ボタン２５７Ｓを押すことによって、所望の保育実践の検索結果を得ることができる。
【００３７】
また、図３に戻って、ユーザが簡単制作の保育実践のページに移動するためのボタン２５２７を押すと、端末２００Ａは、サーバ１００Ａから簡単制作の保育実践のページのデータを取得する。図１２を参照して、簡単制作の保育実践のページには、２・３歳児を対象とした保育実践を検索対象にするためのボタン２５７４と、４・５歳児を対象とした保育実践を検索対象にするためのボタン２５７５とが含まれる。ユーザは、これらのボタンのうちのいずれかを押して、さらに詳細なカテゴリを選択した後に、検索ボタン２５７Ｔを押すことによって、所望の保育実践の検索結果を得ることができる。
【００３８】
このようにして各種の検索方法によって抽出された保育実践のうち、ユーザはいずれかの保育実践を選択する。たとえば、図６に戻って、検索結果としての複数の保育実践のサムネイルのいずれかをユーザが選択すると、端末２００Ａは、サーバ１００Ａから該当する保育実践のページをダウンロードする。本実施の形態においては、サーバ１００Ａは、無料のユーザには、選択された保育実践に関する簡易ページを提供し、有料のユーザには選択された保育実践に関する詳細ページを提供する。
【００３９】
図１３〜図１６を参照して、端末２００Ａは、保育実践の詳細ページとして、当該保育実践の対象カテゴリと、「活動のねらい」と、「材料・用具」と、「事前準備」と、「活動の流れ（概略）」と、「活動の流れ  詳細説明」と、「完成品例」と、「保育者の声」と、「ここがいいね」と、「保育実践案」とを表示する。なお、端末２００Ｂは、無料のユーザに対しては、保育実践の通常ページとして、「活動のねらい」と、「材料・用具」と、「事前準備」と、「活動の流れ（概略）」とを表示する。
【００４０】
なお、「活動のねらい」は、当該保育実践の目的を示す。「材料・用具」は、当該保育実践に利用する材料と用具とを示す。「材料・用具」の欄には、通信販売サービスで購入できる材料・用具と、自分で用意する必要がある材料・用具とを、分けて表示することが好ましい。たとえば、「通信販売している商品」欄と、「通信販売していない商品」欄とに分けて表示することが好ましい。
【００４１】
「事前準備」は、当該保育実践の開始前に準備しておくこと・ものを示す。「活動の流れ（概略）」は、当該保育実践の簡単な流れを示す。
【００４２】
「活動の流れ  詳細説明」は、当該保育実践の詳細な流れを示す。本実施の形態においては、「活動の流れ  詳細説明」は、保育園や幼稚園や小学校の先生の台詞および注意点や、子供たちの予想される台詞などが含まれていることが好ましい。
【００４３】
「完成品例」は、当該保育実践による完成物を示す。「保育者の声」は、当該保育実践に関する保育者の感想や意見を示す。「ここがいいね」は、当該保育実践の良かった点を示す。ダウンロードボタンが押されると、表示中の保育実践に関する情報がＰＤＦデータで、端末２００Ａにダウンロードされる。
【００４４】
なお、これらの保育実践のページは、ユーザがお気に入りボタン２５８Ｘを押すことによって、ユーザ毎にお気に入りに登録することができる。そして、当該ユーザが、情報サイトのホームページを開いた際に、ホームページにお気に入りページが選択可能に表示される。
【００４５】
図１３に戻って、材料・用具のエリアには、材料と用具の詳細ページへ移動するためのボタン２５８Ｙが表示されている。ユーザが、当該ボタンを押すと、端末２００Ａは、サーバ１００Ａから材料と用具に関する詳細ページのデータを取得する。図１７を参照して、端末２００Ａは、サーバ１００Ａからのデータに基づいて、材料と用具の詳細ページとして、当該保育実践に利用される材料・用具のうちの、当該情報サイトと連携する通販サイトにおける販売対象をディスプレイ２３０上に選択可能に列挙する。
【００４６】
本実施の形態においては、端末２００Ａは、サーバ１００Ａからのデータに基づいて、材料・用具毎に、商品名と、申込み番号と、販売単位当たりの販売価格と、注文するか否かを示すためのチェックボックス２５９１を表示する。
【００４７】
ユーザが、必要な商品をチェックしてから、販売サイトへ移行するためのボタン２５９２を押すと、端末２００Ａは、対象となっている保育実践を特定するためのコンテンツＩＤと、チェックされた商品を特定するための商品ＩＤと、を情報提供サーバ１００Ａに送信する。すると、情報提供サーバ１００Ａが、組織ＩＤと、ユーザＩＤと、商品ＩＤと、コンテンツＩＤとを通信販売サーバ１００Ｂに送信する。あるいは、端末２００Ａは、組織ＩＤと、ユーザＩＤと、商品ＩＤと、コンテンツＩＤとを通販用のサーバ１００Ｂに送信してもよい。
【００４８】
サーバ１００Ｂは、ユーザまたはその組織が、チェックを入れた商品をカートにいれたものとみなして、当該商品がカートに入った状態の通販サイトのページを端末２００Ｂに送信する。図１８を参照して、端末２００Ｂは、チェックが入った商品がカートに入った状態の、通販サイトのページをディスプレイ２３０に表示する。ユーザは、端末２００Ａに対し、請求区分２５９３を選択し、注文者２５９４を入力し、数量２５９５を選択してから、商品を発注する。発注した注文データはサーバ１００Ａに蓄積され、本実施の形態においては、図３に示すように、組織毎に過去の注文を、対応する活動が認識できる状態で見返すことができる。
【００４９】
本実施の形態においては、請求区分とは、請求先を指定するものである。たとえば、請求区分は、ＰＴＡ費、公費、学級費、学年費、生徒会費などを含む。より詳細には、図１９に示すように、ユーザが、分割ボタン２５９６を押すと、同じ商品に関して、異なる請求区分および数量などの注文が可能になる。
【００５０】
このように、本実施の形態においては、保育実践などの活動を紹介するサービスと、保育実践などの活動に利用される材料・用具を販売するサービスと、が連携しているので、従来よりも保育園や幼稚園や小学校等の先生が、より容易に保育または教育の活動に関する情報を得られる、またはより容易に保育または教育に使用する材料および／または用具を購入できるようになる。
【００５１】
以下、保育実践集以外のサービスについて説明する。
【００５２】
再度、図２に戻って、情報サイトのホームページにおいて、ユーザが、「年間カリキュラム」のページへ移動するためのボタン２５０４を押すと、端末２００Ａは、サーバ１００Ａから「年間カリキュラム」のページのデータを取得する。図２０を参照して、年間カリキュラムのページには、月や季節に実践する予定の活動を、ユーザ毎または組織毎に登録したり、閲覧したりすることができる。また、ユーザは、年齢に対する発達特徴なども閲覧することができる。これらの年間カリキュラムのページは、ユーザがお気に入りボタン２５８を押すことによってお気に入りに登録することができ、情報サイトのホームページに選択可能に表示される。
【００５３】
また、図２に戻って、情報サイトのホームページにおいて、ユーザが、「作品研究」のページへ移動するためのボタン２５０５を押すと、端末２００Ａは、サーバ１００Ａから「作品研究」のページのデータを取得する。図２１を参照して、作品研究のページには、活動ごとに作品の完成例や、活動および／または作品の解説が含まれる。これらの作品研究のページは、ユーザがお気に入りボタン２５８を押すことによってお気に入りに登録することができ、情報サイトのホームページに選択可能に表示される。
【００５４】
また、図２に戻って、情報サイトのホームページにおいて、ユーザが「動画セミナー」のページへ移動するためのボタン２５０６を押すと、端末２００Ａは、サーバ１００Ａから「動画セミナー」のページのデータを取得する。図２２を参照して、動画セミナーのページでは、保育または教育の参考にすることができる各種の動画のセミナーを閲覧することができる。これらの動画セミナーのページは、ユーザがお気に入りボタン２５８を押すことによってお気に入りに登録することができ、情報サイトのホームページに選択可能に表示される。
【００５５】
また、図２に戻って、情報サイトのホームページにおいて、ユーザが「ワンポイントアドバイス」のページへ移動するためのボタン２５０７を押すと、端末２００Ａは、サーバ１００Ａから「ワンポイントアドバイス」のページのデータを取得する。図２３を参照して、ワンポイントのページでは、保育または教育の参考にすることができる専門家によるワンポイントアドバイスを閲覧することができる。これらのワンポイントアドバイスのページは、ユーザがお気に入りボタン２５８を押すことによってお気に入りに登録することができ、情報サイトのホームページに選択可能に表示される。
【００５６】
また、図２に戻って、情報サイトのホームページにおいて、ユーザが「教材ダウンロード」のページへ移動するためのボタン２５０８を押すと、端末２００Ａは、サーバ１００Ａから「教材ダウンロード」のページのデータを取得する。図２４を参照して、教材ダウンロードのページでは、ダウンロードして印刷するだけで利用できる、画像や文字などの教材をダウンロードすることができる。これらの教材ダウンロードのページも、ユーザがお気に入りボタン２５８を押すことによってお気に入りに登録することができ、情報サイトのホームページに選択可能に表示される。
【００５７】
以下では、このような機能を実現するためのネットワークシステム１について、ハードウェアおよびソフトウェアの観点から説明する。
＜情報提供サーバ１００Ａのハードウェア構成＞
【００５８】
まず、保育所や幼稚園や学校での活動に利用される有益な情報を提供するための情報提供サーバ１００Ａのハードウェア構成の一態様について説明する。なお、図２５は、本実施の形態にかかる情報提供サーバ１００Ａのハードウェア構成を表わすブロック図である。
【００５９】
図２５を参照して、情報提供サーバ１００Ａは、主たる構成要素として、プロセッサ１１０と、メモリ１２０と、各種ライト１３０と、各種スイッチ１４０と、通信インターフェイス１６０とを含む。
【００６０】
プロセッサ１１０は、メモリ１２０あるいは外部の記憶媒体に記憶されているプログラムを実行することによって、情報提供サーバ１００Ａの各部を制御する。すなわち、プロセッサ１１０は、メモリ１２０に格納されているプログラムを実行することによって、後述する各種の処理を実行する。
【００６１】
メモリ１２０は、各種のＲＡＭ（Random  Access  Memory）、各種のＲＯＭ（Read-Only  Memory）、フラッシュメモリーなどによって実現される。なお、メモリ１２０は、インターフェイスを介して利用される、ＵＳＢ（Universal  Serial  Bus）（登録商標）メモリ、ＣＤ（Compact  Disc）、ＤＶＤ（Digital  Versatile  Disk）、メモリカード、ハードディスク、ＩＣ（Integrated  Circuit）カード、光カード、マスクＲＯＭ、ＥＰＲＯＭ（Erasable Programmable Read Only Memory）、ＥＥＰＲＯＭ（Electronically  Erasable  Programmable  Read-Only  Memory）などの記憶媒体などによっても実現される。
【００６２】
メモリ１２０は、プロセッサ１１０によって実行されるプログラムや、プロセッサ１１０によるプログラムの実行により生成されたデータ、スイッチ１４０から入力されたデータ、他の機器から受信したデータを記憶する。特に本実施の形態においては、メモリ１２０は、情報サイトに含まれる複数のページのデータを格納する。たとえば、メモリ１２０は、情報サイトのトップページのデータ、「保育実践集」の複数のページのデータ、「年間カリキュラム」の複数のページのデータ、「作品研究」の複数のページのデータ、「動画セミナー」の複数のページのデータ、「ワンポイントアドバイス」の複数のページのデータ、「教材ダウンロード」の複数のページのデータなどを格納する。より詳細には、情報サイトに含まれる複数のページの各々には、コンテンツＩＤが紐づけられている。
【００６３】
より詳細には、本実施の形態においては、メモリ１２０は、図２６に示すように、組織データベース１２１を格納する。組織データベース１２１は、情報サイトに登録されている保育所や幼稚園や学校毎の、組織ＩＤと、組織の名称と、組織の住所と、組織の電話番号と、決済方法との対応関係を格納する。
【００６４】
また、本実施の形態においては、メモリ１２０は、図２７に示すように、ユーザデータベース１２２を格納する。ユーザデータベース１２２は、ユーザＩＤと、ユーザの名前と、組織ＩＤとの対応関係を格納する。これによって、プロセッサ１１０は、組織に属するユーザを認識したり、ユーザがどの組織に所属しているのかを認識したりすることができる。
【００６５】
また、本実施の形態においては、メモリ１２０は、図２８に示すように、お気に入りデータベース１２３を格納する。お気に入りデータベース１２３は、ユーザ毎に、ユーザＩＤと、ユーザによって登録されたお気に入りページのＩＤとの対応関係を格納する。これによって、プロセッサ１１０は、ユーザ毎に、お気に入りのページのサムネイルを選択可能に端末２００Ａにて表示させることができる。
【００６６】
また、本実施の形態においては、メモリ１２０は、図２９に示すように、コンテンツ商品データベース１２４を格納する。コンテンツ商品データベース１２４は、コンテンツＩＤと商品ＩＤとの対応関係を格納する。これによって、情報サイトのサービスが、通販サイトのサービスに、ユーザが購入を検討している商品を特定するための商品ＩＤと当該商品に対応する活動を特定するためのコンテンツＩＤとを受け渡すことができる。そして、商品の注文後は、通販サイトのサービスが、情報サイトのサービスに、ユーザが最終的に購入した商品を特定するための商品ＩＤと当該商品に対応する活動を特定するためのコンテンツＩＤとを受け渡すことができる。その結果、情報サイトは、注文履歴として、ユーザが最終的に購入した商品に関する情報に、当該商品に対応する活動を紐づけて、端末２００Ａに送信し、表示させることが可能になる。
【００６７】
なお、本実施の形態においては、メモリ１２０は、コンテンツＩＤとコンテンツＩＤ同士の対応関係も記憶する。たとえば、メモリ１２０は、「保育実践集」のページと、「年間カリキュラム」ページと、「作品研究」のページと、「動画セミナー」のページと、「ワンポイントアドバイス」のページと、「教材ダウンロード」のページとの対応関係が記憶されている。プロセッサ１１０は、要求されたいずれかのページを端末２００Ａに送信する際に、当該ページに紐づけられている他のページのリンク先情報の情報を追加する。
【００６８】
たとえば、プロセッサ１１０が、上記の対応関係を参照して、年間カリキュラムのページに保育実践のコンテンツＩＤやリンク先情報を紐づける。プロセッサ１１０は、通信インターフェイス１６０を介して、年間カリキュラムのページを端末２００Ａに送信する。端末２００Ａにおいては、ユーザが、年間カリキュラムのページを見ているときに、リンクを指定することによって、関連する保育実践のページに移動することもできる。
【００６９】
なお、逆にプロセッサ１１０が、上記の対応関係を参照して、保育実践のページに年間カリキュラムのコンテンツＩＤやリンク先情報を紐づける。プロセッサ１１０は、通信インターフェイス１６０を介して、保育実践のページを端末２００Ａに送信する。端末２００Ａにおいては、ユーザが、保育実践のページを見ているときに、リンクを指定することによって、関連する年間カリキュラムのページに移動することができる。
【００７０】
あるいは、プロセッサ１１０が、上記の対応関係を参照して、動画セミナーのページに保育実践のコンテンツＩＤやリンク先情報を紐づける。プロセッサ１１０は、通信インターフェイス１６０を介して、動画セミナーのページを端末２００Ａに送信する。端末２００Ａにおいては、ユーザが、動画セミナーのページを見ているときに、リンクを指定することによって、関連する保育実践のページに移動することもできる。
【００７１】
なお、逆にプロセッサ１１０が、上記の対応関係を参照して、保育実践のページに動画セミナーのコンテンツＩＤやリンク先情報を紐づける。プロセッサ１１０は、通信インターフェイス１６０を介して、保育実践のページを端末２００Ａに送信する。端末２００Ａにおいては、ユーザが、保育実践のページを見ているときに、リンクを指定することによって、関連する動画セミナーのページに移動することができる。
【００７２】
あるいは、プロセッサ１１０が、上記の対応関係を参照して、ワンポイントアドバイスのページに保育実践のコンテンツＩＤやリンク先情報を紐づける。プロセッサ１１０は、通信インターフェイス１６０を介して、ワンポイントアドバイスのページを端末２００Ａに送信する。端末２００Ａにおいては、ユーザが、ワンポイントアドバイスのページを見ているときに、リンクを指定することによって、関連する保育実践のページに移動することもできる。
【００７３】
なお、逆にプロセッサ１１０が、上記の対応関係を参照して、保育実践のページにワンポイントアドバイスのコンテンツＩＤやリンク先情報を紐づける。プロセッサ１１０は、通信インターフェイス１６０を介して、保育実践のページを端末２００Ａに送信する。端末２００Ａにおいては、ユーザが、保育実践のページを見ているときに、リンクを指定することによって、関連するワンポイントアドバイスのページに移動することができる。
【００７４】
これ以外にも、「保育実践集」、「年間カリキュラム」、「作品研究」、「動画セミナー」、「ワンポイントアドバイス」、「教材ダウンロード」などの、メニューを越えた関連付けが可能である。
【００７５】
また、本実施の形態においては、メモリ１２０は、図３０に示すように、商品データベース１２５を格納する。商品データベース１２５は、商品ＩＤと、商品の名前と、商品の販売単位数量と、商品の単位当たりの値段と、商品の画像と、その他の説明などとの対応関係を格納する。なお、商品データベース１２５が通信販売サーバ１００Ｂに格納され、情報提供サーバ１００Ａが、コンテンツＩＤに基づいて対応する商品に関する情報を通信販売サーバ１００Ｂから取得する構成であってもよい。
【００７６】
図２５に戻って、ライト１３０は、プロセッサ１１０からの信号によって点灯・点滅・消灯することによって、情報提供サーバ１００Ａの各種の状態を外部に伝える。
【００７７】
スイッチ１４０は、管理者からの命令を受け付けて、当該命令をプロセッサ１１０に入力する。
【００７８】
通信インターフェイス１６０は、プロセッサ１１０からのデータを、インターネット、キャリア網、ルータなどを介して他の機器に送信する。通信インターフェイス１６０は、インターネット、キャリア網、ルータなどを介して他の機器からのデータを受信して、プロセッサ１１０に受け渡す。
【００７９】
本実施の形態においては、プロセッサ１１０は、通信インターフェイス１６０を介して、端末２００Ａ，２００Ｂや通信販売サーバ１００Ｂから、各種の要求やデータを受信したり、送信したりする。たとえば、プロセッサ１１０は、通信インターフェイス１６０を介して、保育所や幼稚園や学校における活動に利用される有益な情報を、たとえば端末２００Ａ，２００Ｂに送信する。
＜通信販売サーバ１００Ｂのハードウェア構成＞
【００８０】
次に、通信販売サービスを提供するための通信販売サーバ１００Ｂについて説明する。本実施の形態にかかる通信販売サーバ１００Ｂのハードウェア構成は、図２５の情報提供サーバ１００Ａと同様であるため、ここでは説明を繰り返さない。
【００８１】
なお、本実施の形態においては、通信販売サーバ１００Ｂのメモリ１２０も、図２９に示すように、コンテンツ商品データベース１２４を格納する。
【００８２】
また、本実施の形態においては、通信販売サーバ１００Ｂのメモリ１２０も、図３０に示すように、商品データベース１２５を格納する。
【００８３】
また、本実施の形態においては、通信販売サーバ１００Ｂのメモリ１２０は、図３１に示すように、注文データベース１２６を格納する。注文データベース１２６は、注文ＩＤと、組織ＩＤと、商品ＩＤと、個数と、注文日時と、コンテンツＩＤとの対応関係を格納する。なお、注文データベース１２６が情報提供サーバ１００Ａに格納されてもよい。
＜端末２００Ａ，２００Ｂのハードウェア構成＞
【００８４】
次に、端末２００Ａ，２００Ｂのハードウェア構成の一態様について説明する。図３２は、本実施の形態にかかる端末２００Ａ，２００Ｂのハードウェア構成を表わすブロック図である。
【００８５】
図３２を参照して、端末２００Ａ，２００Ｂは、保育所や幼稚園や学校の先生や保護者や生徒などのユーザが利用するパーソナルコンピュータ、タブレット、スマートホンなどによって実現される。端末２００Ａ，２００Ｂは、主たる構成要素として、プロセッサ２１０と、メモリ２２０と、タッチパネル２５０（ディスプレイ２３０とポインティングデバイス２４０）と、通信インターフェイス２６０と、スピーカ２８０とを含む。
【００８６】
プロセッサ２１０は、メモリ２２０あるいは外部の記憶媒体に記憶されているプログラムを実行することによって、端末２００Ａの各部を制御する。すなわち、プロセッサ２１０は、メモリ２２０に格納されているプログラムを実行することによって、各種の処理を実行する。
【００８７】
メモリ２２０は、サーバ１００Ａ，１００Ｂのメモリ１２０と同様に、各種の記憶媒体などによって実現される。メモリ２２０は、プロセッサ２１０によって実行されるプログラムや、プロセッサ２１０によるプログラムの実行により生成されたデータ、ポインティングデバイス２４０を介して入力されたデータ、サーバ１００Ａ，１００Ｂから受信したデータなどを記憶する。
【００８８】
ディスプレイ２３０は、プロセッサ２１０からの信号に基づいて、文字や画像を出力する。ポインティングデバイス２４０は、ユーザからの命令を受け付けて、当該命令をプロセッサ２１０に入力する。なお、本実施の形態においては、端末２００Ａ，２００Ｂは、ディスプレイ２３０とポインティングデバイス２４０とが組み合わされたタッチパネル２５０を有する。
【００８９】
通信インターフェイス２６０は、アンテナやコネクタによって実現される。通信インターフェイス２６０は、有線通信あるいは無線通信によって他の装置との間でデータをやり取りする。プロセッサ２１０は、通信インターフェイス２６０を介して、後述する各種データを情報提供サーバ１００Ａや通信販売サーバ１００Ｂなどの他の装置に送信する。逆に、プロセッサ２１０は、通信インターフェイス２６０を介して、情報提供サーバ１００Ａや通信販売サーバ１００Ｂから情報提供サービスのページのデータや、通信販売サービスのページのデータなどを受信してプロセッサ２１０に受け渡す。
【００９０】
スピーカ２８０は、プロセッサ２１０からの指令にも基づいて、各種の音声を出力する。
＜ネットワークシステム１における第１の情報処理＞
【００９１】
次に、図３３を参照しながら、本実施の形態にかかるネットワークシステム１の第１の情報処理について説明する。図３３は、本実施の形態にかかるネットワークシステム１の第１の情報処理を示すフローチャートである。なお、ここでは第１の情報処理として、ユーザが活動に関する情報を得て、材料・用具などを発注するまでの処理について説明する。
【００９２】
まずユーザが、端末２００Ａに、保育や教育に関する情報提供サービスのホームページのアドレスを入力する。端末２００Ａのプロセッサ２１０は、通信インターフェイス２６０を介して、情報提供サーバ１００Ａにホームページのデータを要求する（ステップＳ１０２）。情報提供サーバ１００Ａのプロセッサ１１０は、通信インターフェイス１６０を介して、要求されたホームページのデータを端末２００Ａに送信する（ステップＳ１０４）。図２に示すように、端末２００Ａのプロセッサ２１０は、受信したデータに基づいて、ディスプレイ２３０にホームページを表示させる（ステップＳ１０６）。
【００９３】
端末２００Ａは、ユーザからメニューの選択命令を入力する（ステップＳ１０８）。たとえば、ユーザは、保育実践集を選択する。端末２００Ａのプロセッサ２１０は、通信インターフェイス２６０を介して、情報提供サーバ１００Ａに保育実践集のページのデータを要求する（ステップＳ１１０）。情報提供サーバ１００Ａのプロセッサ１１０は、通信インターフェイス１６０を介して、要求された保育実践集のページのデータを端末２００Ａに送信する（ステップＳ１１２）。図３に示すように、端末２００Ａのプロセッサ２１０は、受信したデータに基づいて、ディスプレイ２３０に選択されたメニューのページを表示させる（ステップＳ１１４）。
【００９４】
端末２００Ａは、ユーザからカテゴリの選択命令を入力する（ステップＳ１１６）。たとえば、ユーザは、年齢を選択する。端末２００Ａのプロセッサ２１０は、通信インターフェイス２６０を介して、情報提供サーバ１００Ａに、年齢により保育実践などの活動を検索するためのページのデータを要求する（ステップＳ１１８）。情報提供サーバ１００Ａのプロセッサ１１０は、通信インターフェイス１６０を介して、年齢により活動を検索するためのページのデータを端末２００Ａに送信する（ステップＳ１２０）。図４および図５に示すように、端末２００Ａのプロセッサ２１０は、受信したデータに基づいて、ディスプレイ２３０に、年齢により活動を検索するためのページを表示させる（ステップＳ１２２）。
【００９５】
端末２００Ａのプロセッサ２１０は、ユーザから検索命令を受け付ける（ステップＳ１２４）。プロセッサ２１０は、通信インターフェイス２６０を介して、検索命令を情報提供サーバ１００Ａに送信する（ステップＳ１２６）。情報提供サーバ１００Ａのプロセッサ１１０は、端末２００Ａから与えられた条件に基づいて、活動を検索する（ステップＳ１２８）。プロセッサ１１０は、検索結果としての１または複数の活動に関する情報を端末２００Ａに送信する（ステップＳ１３０）。図６に示すように、端末２００Ａのプロセッサ２１０は、受信した検索結果をディスプレイ２３０に表示させる（ステップＳ１３２）。
【００９６】
端末２００Ａのプロセッサ２１０は、ユーザから活動の指定命令を受け付ける（ステップＳ１３４）。プロセッサ２１０は、通信インターフェイス２６０を介して、指定された活動に関する情報を情報提供サーバ１００Ａに要求する（ステップＳ１３６）。情報提供サーバ１００Ａのプロセッサ１１０は、端末２００Ａからの要求に応じて、通信インターフェイス１６０を介して、指定された活動のページのデータを端末２００Ａに送信する（ステップＳ１３８）。図１３〜図１６に示すように、端末２００Ａのプロセッサ２１０は、情報提供サーバ１００Ａから受信したデータに基づいて、指定された活動のページをディスプレイ２３０に表示させる（ステップＳ１４０）。
【００９７】
端末２００Ａのプロセッサ２１０は、ユーザから材料・用具の情報の表示命令を受け付ける（ステップＳ１４２）。プロセッサ２１０は、通信インターフェイス２６０を介して、活動に対応する材料・用具に関する情報を情報提供サーバ１００Ａに要求する（ステップＳ１４４）。情報提供サーバ１００Ａのプロセッサ１１０は、端末２００Ａからの要求に応じて、通信インターフェイス１６０を介して、材料・用具に関する情報を端末２００Ａに送信する（ステップＳ１４６）。図１７に示すように、端末２００Ａのプロセッサ２１０は、情報提供サーバ１００Ａから受信した情報に基づいて、材料・用具に関する情報を選択可能にディスプレイ２３０に表示させる（ステップＳ１４８）。
【００９８】
端末２００Ａのプロセッサ２１０は、ユーザから材料・用具の選択命令を受け付ける（ステップＳ１５０）。プロセッサ２１０は、通信インターフェイス２６０を介して、選択された材料・用具を指定するための商品ＩＤと、活動を特定するためのコンテンツＩＤとを情報提供サーバ１００Ａに送信する（ステップＳ１５２）。情報提供サーバ１００Ａのプロセッサ１１０は、通信インターフェイス１６０を介して、商品ＩＤと活動ＩＤとを通信販売サーバ１００Ｂに送信する（ステップＳ１５４）。ただし、端末２００Ａが、商品ＩＤと活動ＩＤとを直接的に通信販売サーバ１００Ｂに送信するものであってもよい。
【００９９】
通信販売サーバ１００Ｂのプロセッサ１１０は、商品ＩＤと活動ＩＤとを受信する（ステップＳ１５６）。プロセッサ１１０は、商品ＩＤに基づいて、商品のより詳細なデータを読み出す（ステップＳ１５８）。プロセッサ１１０は、通信インターフェイス１６０を介して、商品のより詳細な情報を含む注文画面のデータを端末２００Ａに送信する（ステップＳ１６０）。図１８に示すように、端末２００Ａのプロセッサ２１０は、通信販売サーバ１００Ｂから受信した情報に基づいて、選択された材料・用具の数量を受け付けるための注文用画面をディスプレイ２３０に表示させる（ステップＳ１６２）。
【０１００】
端末２００Ａのプロセッサ２１０は、ユーザから材料・用具の数量を受け付けると（ステップＳ１６２）、通信インターフェイス２６０を介して、閲覧していた活動のコンテンツＩＤと注文した商品の商品ＩＤとを注文情報として通信販売サーバ１００Ｂに送信する（ステップＳ１６４）。通信販売サーバ１００Ｂのプロセッサ１１０は、注文を受け付けると（ステップＳ１６６）、注文情報を注文データベース１２６に蓄積する（ステップＳ１６８）。
＜ネットワークシステム１における第２の情報処理＞
【０１０１】
次に、図３４を参照しながら、本実施の形態にかかるネットワークシステム１の第２の情報処理について説明する。図３４は、本実施の形態にかかるネットワークシステム１の第２の情報処理を示すフローチャートである。なお、ここでは第２の情報処理として、ユーザが閲覧中のページをお気に入りに登録する場合の情報処理について説明する。
【０１０２】
まず、図１３〜図１６に示すように、端末２００Ａのプロセッサ２１０は、情報提供サーバ１００Ａから受信したデータに基づいて、指定された活動のページをディスプレイ２３０に表示させる（ステップＳ１４００）。
【０１０３】
端末２００Ａのプロセッサ２１０は、表示中のページのお気に入りボタンの押下を受け付ける（ステップＳ１４０２）。プロセッサ２１０は、通信インターフェイス２６０を介して、コンテンツＩＤと組織ＩＤとユーザＩＤとを情報提供サーバ１００Ａに送信する（ステップＳ１４０４）。情報提供サーバ１００Ａのプロセッサ１１０は、端末２００Ａからの要求を受け付けて（ステップＳ１４０６）、ページＩＤと組織ＩＤとユーザＩＤとを対応付けてお気に入りデータベース１２３に記憶する。
＜ネットワークシステム１における第３の情報処理＞
【０１０４】
次に、図３５を参照しながら、本実施の形態にかかるネットワークシステム１の第３の情報処理について説明する。図３５は、本実施の形態にかかるネットワークシステム１の第３の情報処理を示すフローチャートである。なお、ここでは第３の情報処理として、ホームページなどに、お気に入りページを選択するための画像およびテキストや、注文履歴のテキストを表示するための情報処理について説明する。
【０１０５】
まずユーザが、端末２００Ａに情報提供サービスのホームページの指定する命令を入力する。端末２００Ａのプロセッサ２１０は、通信インターフェイス２６０を介して、情報提供サーバ１００Ａにホームページのデータを要求する（ステップＳ１０２０）。情報提供サーバ１００Ａのプロセッサ１１０は、要求元のユーザＩＤに基づいて、お気に入りデータベース１２３を参照することによって、お気に入りコンテンツＩＤを特定する（ステップＳ１０２２）。また、プロセッサ１１０は、要求元の組織ＩＤに基づいて、注文データベース１２６を参照することによって、ユーザの注文履歴情報としての、商品ＩＤとコンテンツＩＤとの対応関係を抽出する（ステップＳ１０２４）。
【０１０６】
プロセッサ１１０は、お気に入りページの情報や注文履歴情報を含むホームページのデータを端末２００Ａに送信する（ステップＳ１０４０）。図２に示すように、端末２００Ａのプロセッサ２１０は、受信したデータに基づいて、ディスプレイ２３０に、お気に入りページのサムネイル画像と、注文した商品および活動の対応関係を含む注文履歴情報と、を含むホームページを表示させる（ステップＳ１０６０）。
【０１０７】
ユーザが、端末２００Ａにお気に入りページを押すと（ステップＳ１０６２）、端末２００Ａのプロセッサ２１０は、通信インターフェイス２６０を介して、情報提供サーバ１００Ａにお気に入りページのデータを要求する（ステップＳ１０６４）。情報提供サーバ１００Ａのプロセッサ１１０は、通信インターフェイス１６０を介して、当該ページのデータを端末２００Ａに送信する（ステップＳ１０６６）。図１３〜図１６に示すように、端末２００Ａのプロセッサ２１０は、受信したデータに基づいて、ディスプレイ２３０にユーザのお気に入りページを表示させる（ステップＳ１０６８）。
＜第１の実施の形態のまとめ＞
【０１０８】
以下、本実施の形態にかかるネットワークシステム１によって行われる材料・用具の購入処理と、通常の材料・用具の購入処理との違いについて説明する。図３６（ａ）を参照して、通常のシステムでは、保育園や幼稚園や小学校等の先生は、書籍や月刊誌を購入することによって、保育や教育のアイデアを取得していた。そして、保育や教育に必要な材料・用具を選び出して、カタログなどを参照して最適な材料・用具を検討および決定していた。これだけで、２日間ほどかかってしまうことがあった。その後、業者に発注し、材料・用具の到着を待って、保育または教育の活動を行っていた。
【０１０９】
一方、図３６（ｂ）を参照して、本実施の形態にかかるネットワークシステムでは、保育園や幼稚園や小学校等の先生は、情報サイトで保育や教育のアイデアを取得する際に、自動的に保育や教育に必要な材料・用具の選び出しと最適な材料・用具の決定・発注とを完了することができる。そして、早ければ次の日に材料・用具が到着して、保育または教育の活動を実践することが可能な場合もある。
＜第２の実施の形態＞
【０１１０】
第１の実施の形態においては、ユーザ毎に、お気に入りページを登録可能なものであった。すなわち、図２に示す画面において、ユーザを変更すると、変更後のユーザのお気に入りページのサムネイルが選択可能に列挙される。しかしながら、本実施の形態においては、組織毎に、お気に入りページが登録されるものである。より詳細には、情報提供サーバ１００Ａは、図２８のお気に入りデータベース１２３の代わりに、図３７に示すようなお気に入りデータベース１２３２を記憶する。これによって、情報提供サーバ１００Ａのプロセッサ１１０は、組織毎にお気に入りページを抽出することができる。より詳細には、図３５のステップＳ１０２２において、プロセッサ１１０は、組織ＩＤに基づいて、お気に入りデータベース１２３２からコンテンツＩＤを抽出する。
【０１１１】
なお、本実施の形態にかかるネットワークシステム１の全体構成・動作概要・各機器のハードウェア構成、情報処理については、第１の実施の形態のそれらと同様であるため、ここでは説明を繰り返さない。
＜第３の実施の形態＞
【０１１２】
第１の実施の形態においては、組織毎に、注文履歴を登録可能なものであった。すなわち、図２に示す画面において、ユーザに関わらず、組織の注文履歴が表示される。しかしながら、本実施の形態においては、ユーザ毎に注文履歴が蓄積されるものであって、ユーザが変更されると注文履歴の表示が変更される。より詳細には、情報提供サーバ１００Ａは、図３１の注文データベース１２６の代わりに、図３８に示すような注文データベース１２６２を記憶する。これによって、情報提供サーバ１００Ａのプロセッサ１１０は、ユーザ毎に注文履歴を抽出することができる。より詳細には、図３５のステップＳ１０２４において、プロセッサ１１０は、ユーザＩＤに基づいて、注文データベース１２６２から注文履歴を抽出する。
【０１１３】
なお、本実施の形態にかかるネットワークシステム１の全体構成・動作概要・各機器のハードウェア構成、情報処理については、第１の実施の形態のそれらと同様であるため、ここでは説明を繰り返さない。
＜第４の実施の形態＞
【０１１４】
第１の実施の形態においては、サーバ１００Ａが、保育園や幼稚園や学校における子供たちの活動を紹介するためのサービスを提供し、サーバ１００Ｂが、保育園や幼稚園や学校で使用される様々な用具を通信販売するためのサービスを提供するものであった。しかしながら、図３９に示すように、１つのサーバ１００が、保育園や幼稚園や学校における子供たちの活動を紹介するためのサービスを提供するための、プログラムとしてのアプリケーションサーバ１１０Ａと、保育園や幼稚園や学校で使用される様々な材料・用具を通信販売するためのサービスを提供するための、プログラムとしてのアプリケーションサーバ１１０Ｂを含んでもよい。そしてそれらのサービス同士が連携するものであってもよい。
【０１１５】
逆に、保育園や幼稚園や学校における子供たちの活動を紹介するためのサービスが、さらに複数のサーバに役割分担されたり、保育園や幼稚園や学校で使用される様々な材料・用具を通信販売するためのサービスがさらに複数のサーバに役割分担されたりしてもよい。
＜その他の応用例＞
【０１１６】
本発明は、システム或いは装置にプログラムを供給することによって達成される場合にも適用できることはいうまでもない。そして、本発明を達成するためのソフトウェアによって表されるプログラムを格納した記憶媒体（あるいはメモリ）を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０１１７】
この場合、記憶媒体から読出されたプログラムコード自体が前述した実施の形態の機能を実現することになり、そのプログラムコードを記憶した記憶媒体は本発明を構成することになる。
【０１１８】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１１９】
さらに、記憶媒体から読み出されたプログラムコードが、コンピュータに挿入された機能拡張ボードやコンピュータに接続された機能拡張ユニットに備わる他の記憶媒体に書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
＜上記の複数の実施の形態のまとめ＞
【０１２０】
以上をまとめると、上記の第１から第４の実施の形態においては、端末２００Ａと、端末２００Ａと通信可能な少なくとも１つのサーバ１００Ａ，１００Ｂとを備えるネットワークシステム１が提供される。少なくとも１つのサーバ１００Ａ，１００Ｂは、保育または教育のための活動に関する情報を提供するためのサービス１１０Ａと、材料および／または用具を販売するサービス１１０Ｂとを連携させる。
【０１２１】
好ましくは、少なくとも１つのサーバ１００Ａ，１００Ｂは、活動と当該活動に必要な材料および／または用具との対応関係１２４を記憶し、選択された活動に必要な材料および／または用具を注文可能な状態で端末に表示させる。
【０１２２】
好ましくは、少なくとも１つのサーバ１００Ａ，１００Ｂは、注文履歴情報として、注文された材料および／または用具を活動に対応付けて端末に提供する。
【０１２３】
好ましくは、少なくとも１つのサーバ１００Ａ，１００Ｂは、無料会員に対しては活動に関する通常の情報を提供し、有料会員に対しては活動に関する詳細な情報を提供する。
【０１２４】
好ましくは、少なくとも１つのサーバ１００Ａ，１００Ｂは、同一の商品関して、複数の費用の種類の指定を受け付ける。
【０１２５】
好ましくは、少なくとも１つのサーバ１００Ａ，１００Ｂは、活動と、保育または教育に利用できる情報（動画セミナーやワンポイントアドバイスなど）と、の対応関係を記憶する。
【０１２６】
好ましくは、少なくとも１つのサーバ１００Ａ，１００Ｂは、活動と、年間カリキュラムと、の対応関係を記憶する。
【０１２７】
好ましくは、少なくとも１つのサーバ１００Ａ，１００Ｂは、教材のデータを端末２００Ａにダウンロードする。
【０１２８】
この発明の別の態様に従うと、端末２００Ａと、端末２００Ａと通信可能な少なくとも１つのサーバ１００Ａ，１００Ｂとを備えるネットワークシステム１におけるサービス提供方法が提供される。少なくとも１つのサーバ１００Ａ，１００Ｂが、端末２００Ａからの命令に応じて、保育または教育のための活動に関する情報を提供するためのページを端末に送信するステップと、少なくとも１つのサーバ１００Ａ，１００Ｂが、端末２００Ａからの命令に応じて、活動に必要な材料および／または用具を販売するためのページを端末に送信するステップと、を備える。
【０１２９】
この発明の別の態様に従うと、端末２００Ａと通信するための通信インターフェイス１６０と、通信インターフェイス１６０を介して、端末２００Ａに、保育または教育のための活動に関する情報を提供するためのサービス１１０Ａと材料および／または用具を販売するサービス１１０Ｂとを連携させて提供するプロセッサ１１０を備えるサーバ１００が提供される。
【０１３０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１３１】
１          ：ネットワークシステム
１００Ａ    ：情報提供サーバ
１００Ｂ    ：通信販売サーバ
１１０      ：プロセッサ
１１０Ａ    ：アプリケーションサーバ
１１０Ｂ    ：アプリケーションサーバ
１２０      ：メモリ
１２１      ：組織データベース
１２２      ：ユーザデータベース
１２３      ：お気に入りデータベース
１２３２    ：お気に入りデータベース
１２４      ：コンテンツ商品データベース
１２５      ：商品データベース
１２６      ：注文データベース
１２６２    ：注文データベース
１３０      ：ライト
１４０      ：スイッチ
１６０      ：通信インターフェイス
２００Ａ    ：端末
２１０      ：プロセッサ
２２０      ：メモリ
２３０      ：ディスプレイ
２４０      ：ポインティングデバイス
２５０      ：タッチパネル
２６０      ：通信インターフェイス
２８０      ：スピーカ
【図１】
2017027555.tif 000003
【図２】
2017027555.tif 000004
【図３】
2017027555.tif 000005
【図４】
2017027555.tif 000006
【図５】
2017027555.tif 000007
【図６】
2017027555.tif 000008
【図７】
2017027555.tif 000009
【図８】
2017027555.tif 000010
【図９】
2017027555.tif 000011
【図１０】
2017027555.tif 000012
【図１１】
2017027555.tif 000013
【図１２】
2017027555.tif 000014
【図１３】
2017027555.tif 000015
【図１４】
2017027555.tif 000016
【図１５】
2017027555.tif 000017
【図１６】
2017027555.tif 000018
【図１７】
2017027555.tif 000019
【図１８】
2017027555.tif 000020
【図１９】
2017027555.tif 000021
【図２０】
2017027555.tif 000022
【図２１】
2017027555.tif 000023
【図２２】
2017027555.tif 000024
【図２３】
2017027555.tif 000025
【図２４】
2017027555.tif 000026
【図２５】
2017027555.tif 000027
【図２６】
2017027555.tif 000028
【図２７】
2017027555.tif 000029
【図２８】
2017027555.tif 000030
【図２９】
2017027555.tif 000031
【図３０】
2017027555.tif 000032
【図３１】
2017027555.tif 000033
【図３２】
2017027555.tif 000034
【図３３】
2017027555.tif 000035
【図３４】
2017027555.tif 000036
【図３５】
2017027555.tif 000037
【図３６】
2017027555.tif 000038
【図３７】
2017027555.tif 000039
【図３８】
2017027555.tif 000040
【図３９】
2017027555.tif 000041